(57)【要約】【課題】眼鏡フレームのヨロイとテンプルを連結するのに有効であって、テンプルの回動を、開く方向及び閉じる方向の両方について制限する蝶番を提供する。【解決手段】軸孔２４、２５を備える略円板状の連結部２２、２３を有する固定片２０と、軸孔３５を備える略円板状の連結部３２を有する可動片３０と、両軸孔２４、２５、３５に挿通される軸ねじ４０とを備える。両連結部は、互に対面する面に夫々凸部５０、６０を備え、回動に伴って一方の凸面５１（６１）と他方の凹面６２（５２）とが互いに噛み合って摺動するように形成されるとともに、両凸部５０、６０によって回動の範囲が制限されている。【選択図】図１
2010271388.tif 000002
【特許請求の範囲】
【請求項１】
二つの部材を回動自在に連結する蝶番であって、
中央に軸孔を備える略円板状の連結部を有して一方の部材の端部に取付けられる固定片と、中央に軸孔を備える略円板状の連結部を有して他方の部材の端部に取付けられる可動片と、両軸孔に挿通される軸ねじとを備えてなり、
両連結部は、対面する１組の面に夫々凸部を備え、回動に伴って一方の凸面と他方の凹面とが互いに噛み合って摺動するように形成されるとともに、両凸部によって回動の範囲が制限されてなることを特徴とする蝶番。
【請求項２】
前記固定片が、同一軸線上に軸孔を備える２つの連結部を備え、この２つの連結部の間に、前記可動片の連結部が取付けられてなることを特徴とする請求項１に記載の蝶番。
【請求項３】
前記固定片の一つの軸孔が、ねじ孔に形成されてなることを特徴とする請求項２に記載の蝶番。
【発明の詳細な説明】
【技術分野】
【０００１】
本発明は、二つの部材を相対的に回動自在に連結する蝶番に関し、特に、眼鏡フレームのヨロイとテンプルとを相対的に連結するのに有効な蝶番に関する。
【背景技術】
【０００２】
一般的な眼鏡フレームは、ヨロイとテンプルとが蝶番によって連結されており、眼鏡を着用するときには、左右のテンプルが夫々フロントフレームに対して略９０°開き、不使用のときには、左右のテンプルが夫々フロントフレームの裏側に重なるように、折り畳むことができる。
【０００３】
従来用いられている蝶番の一例を図３に示す。この蝶番１１０は、一方の部材に取付けられる固定片１２０、他方の部材に取付けられる可動片１３０、及びこれらを連結する軸ねじ１４０で構成されている。
【０００４】
固定片１２０は、略円板状の２つの連結部１２２、１２３を備え、夫々の中央には同一軸線上に軸孔１２４、１２５を備えている。また、一方の部材に溶接等で取付けるための取付部１２１を備えている。可動片１３０は、略円板状の１つの連結部１３２を備え、その中央には軸孔１３５を備えている。また、他方の部材に溶接等で取付けるための取付部１３１を備えている。
【０００５】
固定片１２０の２つの連結部１２２、１２３は、所定の間隔を置いて対向して設けられており、その間に可動片１３０の連結部１３２を挿入することができる。そして、固定片１２０の軸孔１２４、１２５及び可動片１３０の軸孔１３５を同一軸線上に位置させると共に軸ねじ１４０を挿入して、固定片１２０に対して可動片１３０を回動自在に連結することができる。ここでは、軸孔１２５がねじ孔に形成され、軸ねじ１４０と螺合するように形成されている。
【０００６】
この蝶番１１０を眼鏡フレームに使用した状態を図４に示す。すなわち、蝶番１１０の固定片１２０がヨロイ１９１に取付けられ、可動片１３０がテンプル１９２に取付けられている。図４（１）は、テンプル１９２を開いた状態であり、眼鏡を着用するときの状態を示している。テンプル１９２を開く方向に回動すると、ヨロイ１９１の端部１９８とテンプル１９２の端部１９９とが互いに当接して、回動が制限されるようになっている。
【０００７】
また、図４（１）に示すテンプル１９２を開いた状態において、蝶番１１０の形状は、円板状の連結部１２２、１２３、１３２を中心として、美しい滑らかな曲線を描くように形成することが可能である。したがって、眼鏡フレーム等の装飾的な価値を高め、高級感が得られるようにデザインを施すことができる。
【０００８】
図４（２）は、図４（１）の状態からテンプル１９２を略９０°回動して、閉じた状態を示している。従来、閉じる方向の回動に対しては、特にこれを制限する工夫はされず、テンプル１９２の一部がフロントフレーム又はレンズの一部に接触することにより、回動が停止するようになっている。
【０００９】
しかしながら、テンプルがフロントフレームやレンズの一部に当たると、これらに傷を付けることもある。そこで、テンプルを閉じる方向の回動に対しても、これを制限する工夫がされるようになった。特許文献１には、テンプルの閉じる角度を制限した蝶番が提案されている。これを図５に示す。
【００１０】
この蝶番１１１は、ヨロイ１９１に取付けられる固定片１２０、テンプル１９２に取付けられる可動片１３０、及びこれらを連結する軸ねじ１４０で構成されている。
【００１１】
固定片１２０は、略円盤状の２つの連結部１２２、１２３を備え、夫々の中央には同一軸線上に軸孔１２４、１２５を備えている。また、ヨロイ１９１に溶接等で取付けるための取付部１２１を備えている。可動片１３０は、略円盤状の１つの連結部１３２を備え、その中央には軸孔１３５を備えている。また、テンプル１９２に溶接等で取付けるための取付部１３１を備えている。
【００１２】
固定片１２０の２つの連結部１２２、１２３は、所定の間隔を置いて対向して設けられており、その間に可動片１３０の連結部１３２を挿入することができる。そして、固定片１２０の軸孔１２４、１２５及び可動片１３０の軸孔１３５を同一軸線上に位置させると共に軸ねじ１４０を挿入して、固定片１２０に対して可動片１３０を回動自在に連結することができる。ここでは、軸孔１２５がねじ孔に形成され、軸ねじ１４０と螺合するように形成されている。
【００１３】
さらに、固定片１２０は、取付部１２１の一部を突出させてストッパー１２９を形成している。同様に、可動片１３０も、取付部１３１の一部を突出させてストッパー１３９を形成している。ストッパー１２９、１３９を設けたことにより、テンプルを閉じる方向の回動に対しても、これを制限することができる。なお、テンプルを開く方向の回動に対しては、従来と同様に、ヨロイ１９１の端部とテンプル１９２の端部で制限している。
【００１４】
蝶番１１１は、テンプル１９２を閉じる方向の回動を制限することができるので、テンプル１９２を閉じる際に、フロントフレームやレンズを傷つけることがない。しかしながら、この蝶番１１１は、ストッパー１２９、１３９を設けたことにより、テンプル１９２を開いて着用する状態としたときに、図４（１）に示すような美しい曲線を描くことはできない。ストッパー１２９、１３９が突起状となり、滑らかな曲線を描くことができず、デザインを施す上で大きな障害となっている。
【先行技術文献】
【特許文献】
【００１５】
【特許文献１】特開２００４−２７２１７８号公報
【発明の概要】
【発明が解決しようとする課題】
【００１６】
この発明が解決しようとする課題は、眼鏡フレームのヨロイとテンプルを連結するのに有効な蝶番であって、テンプルの回動を、開く方向及び閉じる方向の両方について制限する蝶番を提供することである。また、テンプルを開いたときに、美しい滑らかな曲線を描くことが可能であり、眼鏡フレーム等の装飾的価値を高め、高級感が得られるデザインを施すことができる蝶番を提供することである。
【課題を解決するための手段】
【００１７】
本発明の請求項１に係る蝶番は、二つの部材を回動自在に連結する蝶番であって、中央に軸孔を備える略円板状の連結部を有して一方の部材の端部に取付けられる固定片と、中央に軸孔を備える略円板状の連結部を有して他方の部材の端部に取付けられる可動片と、両軸孔に挿通される軸ねじとを備えてなり、両連結部は、対面する１組の面に夫々凸部を備え、回動に伴って一方の凸面と他方の凹面とが互いに噛み合って摺動するように形成されるとともに、両凸部によって回動の範囲が制限されてなる手段を採用している。
【００１８】
また、本発明の請求項２に係る蝶番は、請求項１に記載の蝶番であって、前記固定片が、同一軸線上に軸孔を備える２つの連結部を備え、この２つの連結部の間に、前記可動片の連結部が取付けられてなる手段を採用している。また、本発明の請求項３に係る蝶番は、請求項２に記載の蝶番であって、前記固定片の一つの軸孔が、ねじ孔に形成されてなる手段を採用している。
【発明の効果】
【００１９】
本発明の蝶番は、眼鏡フレームのヨロイとテンプルを連結するのに有効な蝶番であり、テンプルの回動を、開く方向及び閉じる方向の両方について制限することができる。したがって、テンプルを閉じたときに、テンプルがフロントフレームやレンズを傷つけることがない。また、テンプルを開いたときの形状を、従来の蝶番と同様に美しい滑らかな曲線とすることが可能であり、眼鏡フレーム等の装飾的価値を高めて、高級感が得られるデザインを施すことができる。
【図面の簡単な説明】
【００２０】
【図１】本発明の蝶番の一例を示し、（１）は構成部品の概略平面図であり、（２）は（１）におけるＡ−Ａ矢視概略側面図、（３）は（２）におけるＣ−Ｃ矢視概略断面図、（４）は（１）におけるＢ−Ｂ矢視概略側面図である。
【図２】図１の蝶番により眼鏡フレームのヨロイとテンプルとを連結した概略平面図であり、（１）はテンプルを開いた状態を、（２）はテンプルを閉じた状態を示す。
【図３】従来の蝶番の一例を示し、（１）は構成部品の概略平面図であり、（２）は（１）におけるＡ−Ａ矢視概略側面図、（３）は（１）におけるＢ−Ｂ矢視概略側面図である。
【図４】図３の蝶番により眼鏡フレームのヨロイとテンプルとを連結した概略平面図であり、（１）はテンプルを開いた状態を、（２）はテンプルを閉じた状態を示す。
【図５】従来の蝶番の他の例を示す概略斜視図である。
【発明を実施するための形態】
【００２１】
本発明の蝶番の一例を図１に示す。この蝶番１０は、一方の部材に取付けられる固定片２０、他方の部材に取付けられる可動片３０、及びこれらを連結する軸ねじ４０で構成されている。
【００２２】
固定片２０は、略円板状の２つの連結部２２、２３を備え、夫々の中央には同一軸線上に軸孔２４、２５を備えている。また、一方の部材に溶接等で取付けるための取付部２１を備えている。可動片３０は、略円板状の１つの連結部３２を備え、その中央には軸孔３５を備えている。また、他方の部材に溶接等で取付けるための取付部３１を備えている。
【００２３】
固定片２０の２つの連結部２２、２３は、所定の間隔を置いて対向して設けられており、その間に可動片３０の連結部３２を挿入することができる。そして、固定片２０の軸孔２４、２５及び可動片３０の軸孔３５を同一軸線上に位置させると共に軸ねじ４０を挿入して、固定片２０に対して可動片３０を回動自在に連結することができる。
【００２４】
本発明の蝶番の特徴は、両方の連結部が、対面する１組の面において、夫々凸部を備えていることである。すなわち、蝶番１０において、固定片２０の連結部２２は、内側の面に凸部５０を備え、可動片３０の連結部３２は、連結部２２と対面する面に凸部６０を備えている。
【００２５】
このため、固定片２０の連結部２２には、凸部５０により凸面５１と凹面５２が形成されている。また、可動片３０の連結部３２には、凸部６０により凸面６１と凹面６２が形成されている。そして、凸面５１と凹面６２、凸面６１と凹面５２とが互いに噛み合わされて組み立てられる。この結果、固定片２０に対して可動片３０が回動する際には、一方の凸面と他方の凹面とが噛み合って摺動することになる。
【００２６】
固定片２０の凸部５０は、回転軸に対して略９０°の範囲で形成され、その両端が当り面５３、５４を形成している。可動片３０の凸部６０は、回転軸に対して略１８０°の範囲で形成され、その両端が当り面６３、６４を形成している。
【００２７】
この結果、蝶番１０の回動の範囲は、凸部５０と凸部６０とによって、略９０°に制限されることになる。すなわち、一方の側に回動すると、当り面５３と当り面６３とが当接し、それ以上回動することができない。また、他方の側に回動すると、当り面５４と当り面６４とが当接し、それ以上回動することができない。
【００２８】
この蝶番１０を眼鏡フレームに使用した状態を図２に示す。すなわち、蝶番１０の固定片２０がヨロイ９１に取付けられ、可動片３０がテンプル９２に取付けられている。図２（１）は、テンプル９２を開いた状態であり、眼鏡を着用するときの状態を示している。テンプル９２を開く方向に回動すると、当り面５３と当り面６３とが当接して回動が制限される。
【００２９】
図２（２）は、図２（１）の状態からテンプル９２を略９０°回動して、閉じた状態を示している。テンプル９２を閉じる方向に回動すると、当り面５４と当り面６４とが当接して回動が制限される。
【００３０】
蝶番１０は、固定片２０が２つの連結部２２、２３を備え、可動片３０が１つの連結部３２を備えている例を示しているが、連結部の数は特に限定されるものではない。一般的には、２個と１個との組み合わせ、或いは３個と２個との組み合わせが実用的である。
【００３１】
また、蝶番１０は、連結部２３の軸孔２５がねじ孔に形成され、軸ねじ４０と螺合するように形成されている。軸孔２５をねじ孔に形成する替わりに、ロックナットを用いて取付けることもできる。
【００３２】
本発明の蝶番１０は、固定片２０の連結部２２と可動片３０の連結部３２に、夫々凸部５０、６０を設けたことにより、その回動を両方向に対して制限することができる。したがって、これを用いて眼鏡フレームのヨロイ９１とテンプル９２とを連結した場合には、着用時におけるテンプル９２の開き具合を調整することができる。また、不使用時におけるテンプル９２の閉じ具合を調整することができる。そして、不使用時に眼鏡フレームやレンズを傷つけることもない。
【００３３】
また、本発明の蝶番１０は、連結部２２と連結部３２との互いに対面する面に、夫々凸部５０、６０を設けただけであり、図２に示す蝶番１０の外観は、図４に示す従来の蝶番１１０と殆ど変わっていない。したがって、本発明の蝶番１０は、従来の蝶番１１０と同様に、テンプルを開いたときに、美しい滑らかな曲線を描くことが可能であり、眼鏡フレーム等の装飾的価値を高め、高級感が得られるデザインを施すことができる。
【符号の説明】
【００３４】
１０、１１０、１１１    蝶番
２０、１２０    固定片
２１、３１、１２１、１３１    取付部
２２、２３、３２、１２２、１２３、１３２    連結部
２４、２５、３５、１２４、１２５、１３５    軸孔
３０、１３０    可動片
４０、１４０    軸ねじ
５０、６０    凸部
５１、６１    凸面
５２、６２    凹面
５３、５４、６３、６４    当り面
９１、１９１    ヨロイ
９２、１９２    テンプル
９８、９９、１９８、１９９    端部
１２９、１３９    ストッパー
【図１】
2010271388.tif 000003
【図２】
2010271388.tif 000004
【図３】
2010271388.tif 000005
【図４】
2010271388.tif 000006
【図５】
2010271388.tif 000007